(57)【要約】【課題】高密度化された記録媒体を用いた記録媒体カートリッジの記録及び／又は再生装置において、装置本体の大型化を招くことなく対物レンズの防塵を図るレンズカバーを対物レンズ上より退避させる。【解決手段】ピックアップベース１８と、記録媒体９の信号記録面と対峙される対物レンズ２０とを備え、記録媒体９に光ビームを照射する光ピックアップ機構４と、記録媒体９を装置本体２内に引き込むと共に、対物レンズ２０と近接又は離間させる方向に搬送するローディング機構３と、対物レンズ２０の上面側を回動可能に配設されるレンズカバー３０を備え、レンズカバー３０を記録媒体９の搬送方向と平行に回動させると共に、記録媒体９の搬送方向と直交する方向に移動させるレンズカバー機構６とを有し、レンズカバー機構６は、記録媒体９のローディング動作と連動して、レンズカバー３０を回動させて対物レンズ２０上より退避させると共に、記録媒体９のローディング高さ以下に移動させる。【選択図】図４
2004310890.tif 000002
【特許請求の範囲】
【請求項１】
ピックアップベースと、上記ピックアップベースに設けられ、記録媒体の信号記録面と対峙される対物レンズとを備え、上記記録媒体に光ビームを照射する光ピックアップ機構と、
上記記録媒体を装置本体内に引き込むと共に、上記対物レンズと近接又は離間させる方向に搬送するローディング機構と、
上記対物レンズの上面側を回動可能に配設されるレンズカバーを備え、上記レンズカバーを上記記録媒体の搬送方向と平行する方向に回動させると共に、上記記録媒体の搬送方向と直交する方向に移動させるレンズカバー機構とを有し、
上記レンズカバー機構は、上記記録媒体のローディング動作と連動して、上記レンズカバーを回動させて上記対物レンズ上より退避させるとともに、上記記録媒体のローディング高さ以下に移動させる記録及び／又は再生装置。
【請求項２】
上記記録媒体はカートリッジ内に収納され、
上記レンズカバー機構は、上記レンズカバーを回動可能に支持する回動アーム部と、ギア機構を介して上記回動アーム部を回動させる回動レバーと、上記回動アーム部を昇降可能に支持する支持部とを備え、
上記回動レバーは、上記装置本体内に引き込まれた上記カートリッジに当接されることにより回動され、上記回動アームを回動させて上記レンズカバーを上記対物レンズより水平方向に退避させ、
上記回動アーム部は、上記対物レンズと近接される方向に搬送される上記カートリッジに押圧されることにより、上記支持部内に下降されることを特徴とする請求項１記載の記録及び／又は再生装置。
【請求項３】
上記光ピックアップ機構が複数設けられるとともに上記レンズカバー及びレンズカバー移動機構が上記光ピックアップ機構の数に応じて複数形成されていることを特徴とする請求項１又は２記載の記録及び／又は再生装置。
【発明の詳細な説明】
【０００１】
【発明の属する技術分野】
本発明は、記録媒体に光ビームを照射させることにより情報信号の記録及び／又は再生を行う記録及び／又は再生装置に関し、特に光ビームを照射する対物レンズのレンズカバーを備えた記録及び／又は再生装置に関する。
【０００２】
【従来の技術】
従来より、記録媒体が内蔵された記録媒体カートリッジが収納され、記録媒体に対して情報信号の記録又は再生を行う記録及び／又は再生装置が用いられている。この種の記録及び／又は再生装置は、記録媒体に対して情報信号の記録又は再生を行うローディングポジションまで記録媒体カートリッジを搬送するローディング機構と、記録媒体を回転駆動する回転駆動機構と、記録媒体に対して情報信号の記録又は再生を行う光ピックアップ機構とを備える。
【０００３】
光ピックアップ機構は、記録媒体の信号記録面に光ビームを照射する対物レンズと、この対物レンズをフォーカシング方向及びトラッキング方向に駆動するアクチュエータ等を備える。
【０００４】
また、この種の記録及び／又は再生装置においては、対物レンズに塵埃等が付着すると、情報信号の記録又は再生エラーの原因となることから、記録媒体カートリッジが装着されていない場合に、対物レンズを保護するレンズカバーを備えるものがある。このレンズカバーは、例えば、記録媒体カートリッジに設けられ記録媒体の信号記録面を外方に臨ませる記録再生用開口部に配設されたシャッタ部材の開閉を行うシャッタ開閉レバーと連動して動作されるものがある（特許文献１参照）。
【０００５】
このレンズカバーは、記録媒体カートリッジの搬送方向と平行に回動可能に形成されたシャッタ開閉レバーに取り付けられ、付勢部材により、常時、対物レンズを覆う方向に回動付勢されている。そして、記録媒体カートリッジが装置本体内に挿入されると、シャッタ開閉レバーが記録媒体カートリッジに押圧され、記録媒体カートリッジの搬送方向と平行に回動される。シャッタ開閉レバーが回動されることにより、レンズカバーも同様に回動されて対物レンズの上面部より退避される。
【０００６】
また、記録媒体カートリッジが装置本体より引き抜かれると、付勢部材の付勢力によりシャッタ開閉レバーが回動される。これにより、レンズカバーも対物レンズ上に回動され、対物レンズを塵埃等から保護する。
【０００７】
また、この種の記録及び／又は再生装置においては、レンズカバーを対物レンズ上を昇降させる昇降機構を備えるものがある（特許文献２参照）。この記録及び／又は再生装置は、記録媒体の挿入を検出すると、昇降機構によりレンズカバーを対物レンズの上方に上昇させ、光ディスクを対物レンズ上に搬送可能とする。また、記録媒体が装置本体外へ排出されると、昇降機構によりレンズカバーを対物レンズ上に下降させ、対物レンズを塵埃等より保護する。
【０００８】
【特許文献１】
特開平７−３３４８５７号公報
【特許文献２】
特開平４−２３８１８７号公報
【０００９】
【発明が解決しようとする課題】
ところで、従来の光ディスク装置や光磁気ディスク装置においては、光学ディスクに形成されたピッチを幅０．５μｍとし、対物レンズの開口数ＮＡを０．４５とし、且つ照射されるレーザ光の波長を７８０ｎｍとするものが用いられていた。このような光ディスク装置等においては、情報信号の記録又は再生時において、光学ディスクと対物レンズを保持するアクチュエータの可動部との合焦時におけるワーキングディスタンスを、光学ディスクや対物レンズ等が駆動される際に生じる誤差を考慮して大きくとることが可能であった。
【００１０】
近年、光学ディスクは、高密度化を図るためにピッチが狭小化されているため、対物レンズの開口数ＮＡも大きく（例えば０．８５）、且つ照射されるレーザ光の波長も短くなっている（例えば４０５ｎｍの青紫色レーザ）。このため、光ディスク装置等は、光学ディスクと対物レンズを保持するアクチュエータの可動部との合焦時におけるワーキングディスタンスが短くなり、例えば０．１３ｍｍとされる。従って、対物レンズを保護するレンズカバーは、記録媒体に対して情報信号の記録又は再生を行う場合、対物レンズ上から記録媒体カートリッジの搬送方向と平行に回動したのみでは、ローディングポジションに下降された記録媒体又は記録媒体カートリッジと衝突してしまうおそれがある。
【００１１】
また、レンズカバーを記録媒体カートリッジの外径寸法以上に回動させることは、レンズカバーの回動領域を増やし、装置本体の外径寸法の大型化を招いてしまう。
【００１２】
さらに、レンズカバーを対物レンズ上より退避させるために、カートリッジの検出機構及びレンズカバーの駆動機構を設けることは部品点数の増加が必要となるのみならず、省電力化、装置全体の小型化、軽量化の観点より不利となる。
【００１３】
また、対物レンズが設けられた光ピックアップ機構の光学ブロック上にレンズカバーを搭載した場合、光学ブロックの重量増となり、より高精度なサーボ制御が求められる高密度化された記録媒体の記録及び／又は再生装置においては採用することが困難である。
【００１４】
そこで、本発明は、高密度化された記録媒体を用いた記録媒体カートリッジの記録及び／又は再生装置において、装置本体の大型化を招くことなく対物レンズの防塵を図るレンズカバーを対物レンズ上より退避させる移動機構を備えた記録及び／又は再生装置を提供することを目的とする。
【００１５】
【課題を解決するための手段】
上述した課題を解決するために、本発明にかかる記録及び／又は再生装置は、ピックアップベースと、上記ピックアップベースに設けられ、記録媒体の信号記録面と対峙される対物レンズとを備え、上記記録媒体に光ビームを照射する光ピックアップ機構と、記録媒体を装置本体内に引き込むと共に、上記対物レンズと近接又は離間させる方向に搬送するローディング機構と、上記対物レンズの上面側を回動可能に配設されるレンズカバーを備え、上記レンズカバーを上記記録媒体の搬送方向と平行する方向に回動させると共に、上記記録媒体の搬送方向と直交する方向に移動させるレンズカバー機構とを有し、上記レンズカバー機構は、上記記録媒体のローディング動作と連動して、上記レンズカバーを回動させて上記対物レンズ上より退避させるとともに、上記記録媒体のローディング高さ以下に移動させる。
【００１６】
【発明の実施の形態】
以下、本発明が適用された記録及び／又は再生装置について図面を参照しながら詳細に説明する。この記録及び／又は再生装置（以下、「記録再生装置」という。）１は、図１乃至図３に示すように、略矩形状に形成された装置本体２内に、記録媒体カートリッジを搬送する搬送機構３と、記録媒体に対して情報信号の記録又は再生を行う光ピックアップ機構４と、記録媒体を回転駆動する回転駆動機構５と、光ピックアップ機構４の対物レンズの防塵を図るレンズカバー機構６とを備える。
【００１７】
先ず、記録再生装置１に使用される記録媒体カートリッジ８について説明する。この記録媒体カートリッジ８は、記録媒体として光ディスク９が用いられている。この光ディスク９は、例えば、従来より用いられている光ディスクと同じディスク直径１２０ｍｍに形成される一方、トラックピッチが０．３２ｎｍと狭小化され、後述する光ピックアップ機構の対物レンズより波長４０５ｎｍの青紫色レーザが照射されることにより信号が書き込まれるものが用いられる。このため、記録再生装置１は、光ディスク９と対物レンズを保持するアクチュエータの可動部との合焦時におけるワーキングディスタンスが短く、例えば０．１３ｍｍとされる。
【００１８】
この光ディスク９を回転可能に収納する記録媒体カートリッジ８は、上下一対のハーフが突き合わせ結合されたカートリッジ本体１０を備える。カートリッジ本体１０は、下面部に光ディスク９の信号記録面を径方向に亘って光ピックアップ機構４及び回転駆動機構５と対峙させる記録再生用開口部１１が形成されている。この記録再生用開口部１１は、記録媒体カートリッジ８の不使用時においては、装置本体内に回動自在に収納されているシャッタ部材１２により閉塞され、記録媒体カートリッジ８が装置本体２内に挿入されると、装置本体２内に設けられた詳細を省略するシャッタ開閉機構によって開放される。
【００１９】
このような記録媒体カートリッジ８を搬送する搬送機構３は、装置本体２内に配設されたシャーシ１５内に設けられ、カートリッジ本体１０が挿入、保持されるカートリッジホルダ１６と、カートリッジホルダ１６を移動させる図示しない移動機構とを有する。
【００２０】
記録媒体カートリッジ８を保持するカートリッジホルダ１６は、板金等が折り曲げ形成されてなり、記録媒体カートリッジ８の挿入方向と平行な両側面部１６ａ，１６ｂが断面略コ字状に形成されている。そして、カートリッジホルダ１６は、記録媒体カートリッジ８が挿入されると、カートリッジ本体１０の両側面部を支持することにより、記録媒体カートリッジ８の記録再生用開口部１１を光ピックアップ機構４及び回転駆動機構５に臨ませながらカートリッジ本体１０を保持する。
【００２１】
このカートリッジホルダ１６は、移動機構によってシャーシ１５の前面部１５ａから背面部１５ｂに亘って水平方向に搬送されると共に、光ディスク９をシャーシ１５の下方に配設された光ピックアップ機構４の対物レンズと近接させるローディング位置と、光ディスク９を対物レンズと離間させるアンローディング位置とに亘って昇降される。
【００２２】
このような搬送機構３は、記録媒体カートリッジ８が挿入される前においては、カートリッジホルダ１６をシャーシ１５の前面部１５ａ側に搬送し、装置本体２の前面部２ａに形成された記録媒体カートリッジ８の挿脱口７と連続させている。そして、搬送機構３は、記録媒体カートリッジ８の挿入が検出されると、移動機構によってカートリッジホルダ１６をシャーシ１５の背面部１５ｂ側に搬送する。このとき、搬送機構３は、シャッタ開閉機構によって記録媒体カートリッジ８のシャッタ部材１２を開放し、光ディスク９の信号記録面を外部に臨ませる。その後、搬送機構３は、移動機構によりカートリッジホルダ１６を光ディスク９と光ピックアップ機構４の対物レンズと近接させるローディング位置に下降させる。
【００２３】
なお、記録媒体カートリッジ８がローディング位置に搬送されることにより、対物レンズの防塵を図るレンズカバー機構６がのレンズカバーが対物レンズ上より退避される。レンズカバー機構６については後に詳述する。
【００２４】
また、記録媒体カートリッジ８がローディング位置に搬送されると、光ディスク９は、回転駆動機構５のディスクテーブルに回転可能に係合されると共に、光ピックアップ機構４の対物レンズと対峙される。このとき、光ディスク９と対物レンズとのワーキングディスクタンスは、上述したように、０．１３ｍｍ程度とされる。
【００２５】
光ディスク９に対する情報信号の記録又は再生が終了し、記録媒体カートリッジ８の排出が指示されると、搬送機構３は、移動機構によりカートリッジホルダ１６を光ディスク９と対物レンズとを離間させるアンローディング位置に上昇させるとともに、シャーシ１５の前面部１５ａ側へ水平に搬送する。このとき、搬送機構３は、シャッタ開閉機構によって記録媒体カートリッジ８のシャッタ部材１２を閉塞し、光ディスク９が外部に曝された状態で排出されることを防止する。
【００２６】
ローディング位置に搬送された光ディスク９に対して情報信号の記録又は再生を行う光ピックアップ機構４は、略矩形の筐体からなるピックアップベース１８を備え、このピックアップベース１８に、少なくとも、半導体レーザなどの図示しない光源と、この光源から照射した光ビームを光ディスク９の信号記録面に収束させて照射する対物レンズ２０と、光ディスク９の記録面から反射の戻り光を検出する図示しない光検出器と、対物レンズ２０を光ディスク９のフォーカシング方向及びトラッキング方向に駆動させる駆動系が配設されている。
【００２７】
対物レンズ２０は、不使用時において、後述するレンズカバー機構６によって遮蔽されることにより、塵埃等から保護されている。
【００２８】
また、ピックアップベース１８は、長手方向の両端側１８ａ，１８ｂにピックアップベース１８の移動をガイドする一対のガイド軸２１，２２が挿通される挿通孔２３，２４が形成されている。また、ピックアップベース１８は、ガイド軸２１に隣接してガイド軸２１と平行に光ディスク９の径方向に亘って配設されているリードスクリュー２５が係合されている。
【００２９】
ガイド軸２１，２２は、光ディスク９の径方向に亘って平行に設けられ、ピックアップベース１８の両端部１８ａ，１８ｂに挿通されることにより、ピックアップベース１８の移動をガイドする。
【００３０】
リードスクリュー２５は、ガイド軸２１と平行に設けられるとともに、ピックアップベース１８の一側縁部に係合されている。このリードスクリュー２５は、一端にリードスクリュー２５を回転駆動する送りモータ２６が取り付けられ、他端において軸受け２７に回転自在に支持されている。リードスクリュー２５の軸部２５ａは、ネジ溝２８が形成され、ピックアップベース１８がこのネジ溝２８を摺動可能に係合されている。そして、リードスクリュー２５は、送りモータ２６に回転駆動されることにより、ピックアップベース１８を光ディスク９の径方向に亘って移動させることができる。
【００３１】
シャーシ１５の下方に設けられ、ローディング位置に搬送された記録媒体カートリッジ８の光ディスク９を回転駆動する回転駆動機構５は、光ディスク９をクランプするディスクテーブル２９と、先端にディスクテーブル２９が設けられたスピンドル軸を備えるスピンドルモータとを有する。
【００３２】
そして、回転駆動機構５は、カートリッジホルダ１６がローディング位置まで搬送され、光ディスク９がディスクテーブル２９にクランプされると、スピンドルモータを駆動することによってディスクテーブル２９を回転させ、光ディスク９をＣＬＶ（Ｃｏｎｓｔａｎｔ  Ｌｉｎｅａｒ  Ｖｅｌｏｃｉｔｙ）、ＣＡＶ（Ｃｏｎｓｔａｎｔ  Ａｎｇｕｌａｒ  Ｖｅｌｏｃｉｔｙ）又はこれらの組み合わせで回転する。
【００３３】
上記光ピックアップ機構４のピックアップベース１８に設けられた対物レンズ２０上を回動することにより、対物レンズ２０を塵埃等から保護するレンズカバー機構６は、図４に示すように、対物レンズ２０を覆うレンズカバー３０と、レンズカバー３０と係合され、レンズカバー３０を回動させる回動支持部材３１と、回動支持部材３１を回転させるラック部材３２と、ラック部材３２と係合するとともにカートリッジ本体１０が当接されるレバー部材３３と、これらレンズカバー３０、回動支持部材３１、ラック部材３２及びレバー部材３３が設けられるベース板３４とを有する。
【００３４】
このレンズカバー機構６は、図１乃至図３に示すように、装置本体２の底面部に取り付けられ、シャーシ５の下方に位置されている。またレンズカバー機構６は、光ピックアップ機構４のピックアップベース１８に隣接して設けられている。この、レンズカバー機構６は、記録再生装置１が不使用の状態においては、対物レンズ２０を覆い塵埃等の付着を防ぎ、装置本体２内に記録媒体カートリッジ８が挿入されると、対物レンズ２０上より水平方向に回動すると共に、高さ方向にも退避することにより、光ピックアップ機構４を使用可能な状態とするものである。
【００３５】
レンズカバー３０は、略円盤状のカバー部３５と、先端部にカバー部３５が設けられカバー部３５を回動させるアーム部３６と、アーム部３６の基端部３６ａの下面側に設けられ、アーム部３６の回動中心となる基体部３７とを有する。
【００３６】
カバー部３５は、対物レンズ２０を覆うに十分な大きさを有し、アーム部３６の先端部３６ｂに形成されている。このカバー部３５は、レンズカバー３０が回動されることにより、ピックアップベース１８上を移動し、対物レンズ２０上を覆う。これによりカバー部３５は、対物レンズ２０上に塵埃等が付着することを防止する。
【００３７】
アーム部３６は、略矩形板状に形成され、先端部３６ｂにカバー部３５が形成されると共に、基端部３６ａに形成された基体部３７に支持されている。このアーム部３６は、基体部３７を回動中心としてピックアップベース１８上を回動することによりカバー部３５が対物レンズ２０上に位置させる長さを有する。
【００３８】
アーム部３６の基端部３６ａの下面側に設けられている基体部３７は、略円柱状に形成され、後述する回動支持部材３１に係合される。基体部３７は、外周面に回動支持部材３１と係合される係合凸部３９が形成されている。
【００３９】
回動支持部材３１は、中空円筒からなり、上記基体部３７が挿入される中空部４０が形成されている。中空部４０は、内周面に係合凹部４１が形成され、基体部３７の外周面に形成された係合凸部３９と係合される。これにより、回動支持部材３１は、基体部３７の中空部４０内における回動を規制している。
【００４０】
また、回動支持部材３１は、中空部４０内に図示しない弾性部材が設けられ、この弾性部材によって、常時、回動支持部材３１を中空部４０内より抜けない程度の圧力で上方に付勢している。これにより、回動支持部材３１は、アーム部３６が上方より押圧されると、基体部３７が中空部４０内に押し込まれて、レンズカバー３０が高さ方向に退避される。
【００４１】
回動支持部材３１は、下端側の一部が略フランジ状に形成され、ベース板３４の係止片４３にフランジ部が係止されるとともに、ベース板３４上を回転可能に配設されている。
【００４２】
また、回動支持部材３１は、外周の一部にレンズカバー３０を回動させるアームギア４２が設けられ、このアームギア４２を介してラック部材３２と係合されている。また、回動支持部材３１は、ベース板３４に回動可能に支持されている。そして、回動支持部材３１は、ラック部材３２が移動されることによりアームギア４２が駆動され、ベース板３４上を回転される。これにより、回動支持部材３１は、中空部４０に係合されているレンズカバー３０を回転させる。
【００４３】
回動支持部材３１を回転させるラック部材３２は、断面略Ｌ字状に形成されたラック本体４４を有し、ラック本体４４がベース板３４上を摺動可能に設けられている。ラック本体４４は、図５に示すように、回動支持部材３１側の側面部４４ａに、回動支持部材３１のアームギア４２と係合し回動支持部材３１を回転させる第１のラックギア４５が形成されている。また、ラック本体４４は、図６に示すように、第１のラックギア４５と反対側の主面部４４ｂに、後述するレバー部材３３と係合しレバー部材３３の動作に応じてラック本体４４をベース板３４上を摺動させる第２のラックギア４６が形成されている。
【００４４】
そして、ラック部材３２は、第２のラックギア４６を介してレバー部材３３の回転運動を直進運動に変換するとともに、第１のラックギア４５を介して回動支持部材３１を回転駆動させる。
【００４５】
ラック本体４４の第２のラックギア４６と係合するレバー部材３３は、装置本体２内に搬送されたカートリッジ本体１０と当接されるレバー部５０と、外周面の一部よりレバー部５０が突設された略円筒形のローラー部５１と、ローラー部５１の外周面に設けられラック部材３２の第２のラックギア４６と係合するレバーギア５２とを有する。
【００４６】
レバー部５０は、記録再生装置１が不使用の状態においては、カートリッジ本体１０の移動軌跡上に突出され、装置本体２内に記録媒体カートリッジ８が挿入されると、カートリッジ本体１０に押圧されることによりカートリッジ本体１０の挿入方向である図４中矢印Ｒ方向に回転される。
【００４７】
ローラー部５１は、円筒の中心に挿通孔５４が形成され、挿通孔５４にベース板３４より立設された側壁３４ａに形成された挿通軸５５が挿通されている。挿通孔５４及び挿通軸５５は、カートリッジ本体１０の搬送方向と直交する方向であって、レバー部５０をカートリッジ本体１０の搬送方向に回転させる方向に向かって形成されている。また、ローラー部５１は、捻りコイルバネ等の図示しない付勢部材が係止され、レバー部５０がカートリッジ本体１０の押圧方向と逆方向の図４中反矢印Ｒ方向に回動付勢されている。そして、ローラー部５１は、レバー部５０がベース板３４の側壁３４ａよりレバー部５０の回動領域に延設された係止部３４ｂに係止されることにより、レバー部５０の先端部がカートリッジ本体１０の移動軌跡上に突き出され、当接可能な位置に保持されている。
【００４８】
レバーギア５２は、ローラー部５１の外周面の一部に形成され、ラック部材３２の第２のラックギア４６と係合されている。レバーギア５２は、レバー部５０がカートリッジ本体１０に押圧され、ローラー部５１が挿通孔５４を中心に回転されると、第２のラックギア４６を介してラック部材３２をカートリッジ本体１０の搬送方向に移動させる。なお、レバーギア５２はローラー部５１の外周面の一部に形成されていることにより、レバー部５０がカートリッジ本体１０に押圧され、ローラー部５１が大きく回転された場合にも、ラック部材３２には所定の駆動力しか伝達されない。従って、レバー部材３３は、レバー部５０が回転されると、常に、レンズカバー３０が対物レンズ２０の上部とピックアップベース１８より退避する位置との間の一定領域に亘って回動させることができる。
【００４９】
レンズカバー３０、回動支持部材３１、ラック部材３２及びレバー部材３３が設けられるベース板３４は、装置本体２の底面部にネジ止め等されることにより配設されている。
【００５０】
このようなレンズカバー機構６は、装置本体２内に記録媒体カートリッジ８が挿入されていない状態においては、図２及び図４に示すように、ローラー部５１が図示しない付勢部材によって図４中反矢印Ｒ方向に回動付勢されることにより、レバーギア５２及びラック部材３２を介して回動支持部材３１が回動され、レンズカバー３０がカバー部３５により対物レンズ２０上を覆う位置に回動されている。従って、レンズカバー機構６は、記録再生装置１の不使用状態において、対物レンズ２０上に塵埃等が付着することを防止することができる。このとき、レバー部材３３は、ローラー部５１が付勢部材により回動付勢されることにより、レバー部５０の先端部がカートリッジ本体１０の移動軌跡上に突き出され、カートリッジ本体１０と当接可能とされている。
【００５１】
そして、装置本体２内に記録媒体カートリッジ８が挿入され、カートリッジ本体１０がカートリッジホルダ１６によってシャーシ１５の背面部１５ｂ側に水平に搬送されると、カートリッジ本体１０が挿入方向である図４及び図７中矢印Ｉ方向よりレバー部材３３の先端部に当設し、レバー部５０を図４及び図７中矢印Ｒ方向に回動させる。これにより、レバー部材３３は、挿通孔５４を中心にローラー部５１が回転され、レバーギア５２及び第２のラックギア４６を介してラック部材３２が図４中及び図７反矢印Ｉ方向に直進移動される。また、ラック部材３２の第１のラックギア４５を介して回動支持部材３１が回転されることにより、レンズカバー３０は、図４及び図７中矢印Ｓ方向に回動され、カバー部３５が対物レンズ２０上からピックアップベース１８より退避する。
【００５２】
次いで、カートリッジ本体１０がローディング位置に降下されると、図８に示すように、レンズカバー３０は、カートリッジ本体１０に押圧されて、基体部３７が回動支持部材３１の中空部４０内に押し込まれる。これにより、レンズカバー３０は、カートリッジ本体１０の下面部と略同一の高さに保持される。
【００５３】
即ち、上述したように、光ディスク９の高記録密度化が進むことにより、ローディング位置に搬送された光ディスク９と対物レンズ２０とのワーキングディスタンスが短く、例えば０．１３ｍｍとされている。従って、レンズカバーを対物レンズ２０上より水平方向に退避させたのみでは、レンズカバーがローディング位置に搬送されたカートリッジ本体の高さよりも高い位置に設けられ、カートリッジ本体の下面部とレンズカバーとが接触して、レンズカバー機構が記録媒体カートリッジのローディングの障害となる場合がある。そこで、レンズカバー機構６においては、レンズカバー３０の基体部３７を回動支持部材３１の中空部４０内に押し込み可能に形成することにより、レンズカバー３０を水平方向に退避させるのみならず、高さ方向にも退避可能に形成している。これにより、レンズカバー機構６は、レンズカバー３０を対物レンズ２０上よりピックアップベース１８から退避させると共に、カートリッジ本体１０により押下されるため、カートリッジ本体１０のローディングの障害となることなく、記録媒体カートリッジ８を確実にローディング位置に搬送することができる。
【００５４】
また、レンズカバー機構６は、カートリッジ本体１０の外径寸法以上にレンズカバーを回動させる必要もなく、装置本体の大型化を招くこともない。さらに、レンズカバー機構６は、カートリッジ本体１０の水平方向及び高さ方向の搬送動作を利用して、対物レンズ２０より水平方向に退避し、且つカートリッジ本体１０のローディング位置より高さ方向に亘って退避することができるため、装置の小型化、省電力化にも資する。
【００５５】
光ディスク９に対する情報信号の記録又は再生が終了すると、記録媒体カートリッジ８を装置本体２外へ排出するため、カートリッジ本体１０がローディング位置より上昇される。これにより、レンズカバー３０は、カートリッジ本体１０による押圧が解かれ、基体部３７が、回動支持部材３１の中空部４０内に配設された弾性部材の押圧力によって上方に弾性復帰される。
【００５６】
また、カートリッジ本体１０が装置本体２の挿脱口７側である図４中反矢印Ｉ方向に搬送されると、レバー部材３３は、レバー部５０に対するカートリッジ本体１０の押圧が解かれ、ローラー部５１に係止された付勢部材の付勢力により、図４中反矢印Ｒ方向に弾性復帰される。これにより、ラック部材３２を介して回動支持部材３１が回転され、レンズカバー３０は、図４中反矢印Ｓ方向に回動され、カバー部３５が対物レンズ２０上を覆う位置とされ、対物レンズ２０の防塵を図ることができる。
【００５７】
以上、光ディスクを収納したディスクカートリッジの記録再生装置を例に説明したが、本発明は、上述した光ディスクカートリッジの記録再生装置に限定されて適用されるものではなく、単体で取り扱われるその他の情報記録媒体を収納したディスクカートリッジを用いる記録及び／又は再生装置に適用できる。
【００５８】
【発明の効果】
以上詳細に説明したように、本発明にかかる記録及び／又は再生装置によれば、レンズカバーを水平方向に退避させるのみならず、高さ方向にも退避可能に形成することにより、レンズカバーを光ピックアップ機構より退避させると共に、記録媒体のローディングの障害となることがなく、記録媒体を確実にローディング位置に搬送することができる。
【図面の簡単な説明】
【図１】本発明が適用された記録再生装置を示す分解斜視図である。
【図２】記録媒体カートリッジが挿入された記録再生装置を示す平面図である。
【図３】記録媒体カートリッジがローディング位置まで搬送された記録再生装置を示す平面図である。
【図４】レンズカバー機構を示す斜視図である。
【図５】回動支持部材及びラック部材を示す斜視図である。
【図６】ラック部材及びレバー部材を示す斜視図である。
【図７】レンズカバーが回動される様子を示す斜視図である。
【図８】レンズカバーが押下される様子を示す斜視図である。
【符号の説明】
１  記録再生装置、２  装置本体、３  搬送機構、４  光ピックアップ機構、５回転駆動機構、６  レンズカバー機構、８  記録媒体カートリッジ、９  光ディスク、１０  カートリッジ本体、１５  シャーシ、１６  カートリッジホルダ、１８  ピックアップベース、２０  対物レンズ、３０  レンズカバー、３１  回動支持部材、３２  ラック部材、３３  レバー部材、３４  ベース板、３５  カバー部、３６  アーム部、３７  基体部、４０  中空部、４２アームギア、４５  第１のラックギア、４６  第２のラックギア、５０  レバー部、５１  ローラー部、５２  レバーギア
【図１】
2004310890.tif 000003
【図２】
2004310890.tif 000004
【図３】
2004310890.tif 000005
【図４】
2004310890.tif 000006
【図５】
2004310890.tif 000007
【図６】
2004310890.tif 000008
【図７】
2004310890.tif 000009
【図８】
2004310890.tif 000010